(57)【特許請求の範囲】
【請求項１】
下部が開放された中空状に形成され、室内空間の上、天井（Ｐ）に配置される本体（１００）と、
前記本体（１００）を前記天井（Ｐ）の上部に固定する固定ブラケット（２００）と、
前記本体（１００）の内部に装着され、前記天井（Ｐ）の下部方向にスライディングされるスライディング部材（３００）と、
前記スライディング部材（３００）を、前記本体（１００）の下部にスライディング移動させる昇降手段（４００）と、
前記スライディング部材（３００）の下部に左右両側に結合される支持台（５００）と、
後方は、前記支持台（５００）間に、ヒンジ軸（６０１）によって回転自在に結合されれば、前方には、ディスプレイ（Ｔ）が装着されるメインリンク（６００）と、
前記メインリンク（６００）を、前記ヒンジ軸（６０１）を中心に回転させ、前記ディスプレイ（Ｔ）の角度を調節する角度調節手段（７００）と、を含むが、
前記昇降手段（４００）は、前記本体（１００）から、前記スライディング部材（３００）を上下方向にスライディング移動させ、前記ディスプレイ（Ｔ）を、前記天井（Ｐ）を基準に、上部または下部に移動させ、
前記角度調節手段（７００）は、前記昇降手段（４００）により、前記天井（Ｐ）の下部に移動された前記メインリンク（６００）を回転させ、前記ディスプレイ（Ｔ）の視聴角度を調節し、
前記メインリンク（６００）の後方には、前記ヒンジ軸（６０１）を基準に回転されるように、前記角度調節手段（７００）がヒンジ結合される結合突起（６０２）が突設され、
前記角度調節手段（７００）は、一側は、前記結合突起（６０２）にヒンジ結合され、他側は、前記スライディング部材（３００）の下部にヒンジ結合され、長さ変化により、前記メインリンク（６００）の後方を、前記ヒンジ軸（６０１）を中心に回転させ、前記メインリンク（６００）の前方に装着された前記ディスプレイ（Ｔ）の角度を調節する電動シリンダ７０１からなり、
前記本体（１００）内側には、上下方向に、多数個のスライディング溝（１０１）が形成され、
前記スライディング部材（３００）には、前記スライディング溝（１０１）に沿い、多数個の結合孔（３０１）が形成され、
それぞれの前記結合孔（３０１）に挿入結合され、前記スライディング溝（１０１）に沿ってスライディングされるスライディング突起（９００）をさらに含み、
前記スライディング突起（９００）は、
前記スライディング部材（３００）から突出され、前記スライディング溝（１０１）に沿ってスライディングされ、外周縁には、外面から内側に傾いた傾斜面（９１１）が形成されたスライディング部（９１０）と、
前記結合孔（３０１）に結合されるように、前記スライディング部（９１０）から突設され、端には、前記結合孔（３０１）に挿入され、前記結合孔（３０１）の内側外周縁にかかる係止爪（９２１）が形成された結合部（９２０）と、からなることを特徴とする天井型ディスプレイ位置調節装置。
【請求項２】
前記メインリンク（６００）の前端が突出され、回転自在に切開部８０１が形成され、前記支持台（５００）及び前記角度調節手段（７００）を覆い包むように、前記スライディング部材（３００）の下部に装着されるカバー部材８００をさらに含む請求項１に記載の天井型ディスプレイ位置調節装置
【請求項３】
前記昇降手段（４００）は、
前記本体（１００）内部に、上端が回転自在に結合されるリードスクリュー（４１０）と、
前記スライディング部材（３００）の上端に結合され、前記リードスクリュー（４１０）の回転により、上下方向に昇降運動する昇降ユニット（４２０）と、
前記リードスクリュー（４１０）を回転させるメインモータ（４３０）と、を含むが、
前記メインモータ（４３０）が回転すれば、前記リードスクリュー（４１０）が回転しながら、前記昇降ユニット（４２０）が、前記リードスクリュー（４１０）に沿って昇降運動しながら、前記スライディング部材（３００）を上下方向にスライディングさせ、前記ディスプレイ（Ｔ）を、前記天井（Ｐ）を基準に、上部または下部に移動させることを特徴とする請求項１に記載の天井型ディスプレイ位置調節装置。
【請求項４】
前記リードスクリュー（４１０）が挿入されるように、中空状に形成され、一側は、前記昇降ユニット（４２０）に装着され、他側は、前記スライディング部材（３００）の下部に装着され、前記昇降ユニット（４２０）と共に昇降運動しながら、前記昇降ユニット（４２０）の下部に突出された前記リードスクリュー（４１０）を覆い包む保護管（４４０）をさらに含むことを特徴とする請求項３に記載の天井型ディスプレイ位置調節装置。
【発明の詳細な説明】
【技術分野】
【０００１】
本発明は、天井型ディスプレイ位置調節装置に係り、さらに詳細には、ディスプレイを視聴しない場合には、天井上に位置していて、ディスプレイを視聴するときには、天井下に降りてきて、視聴角度まで自動的に調節されるようにする天井型ディスプレイ位置調節装置に関する。
【背景技術】
【０００２】
一般的に、ディスプレイは、すなわち、ＴＶは、室内のいずれか一ヵ所に配置し、視聴を行うことになる。
【０００３】
そのようなディスプレイは、視聴を行っても行わなくとも、空間のある一部分を占めることになる。
【０００４】
最近では、空間活用度を最大限高めることができ、高めるために、ディスプレイを、壁や天井などに設置して使用することになった。
【０００５】
特に、天井に設置することができる天井掛け用ディスプレイ固定装置が開発されている。
【０００６】
図１は、従来の天井掛け用ディスプレイ固定装置の構成図である。
【０００７】
図１に図示されているように、従来の天井掛け用ディスプレイ固定装置は、天井付着ブラケット１２と、前記天井付着ブラケットの下端に設置され、長さが可変される支持棒１６，１８と、前記支持棒に連結され、左右角度調節される調節ブラケット２２と、前記調節ブラケットに結合されるディスプレイ装置付着ブラケット２４と、前記付着ブラケットの所定位置に付着される１対のブラケット連結板２６と、前記ブラケット連結板に結合される角度調節ねじ用ブラケット３２と、前記ブラケット連結板に形成され、前記角度調節ねじ用ブラケットの外周に接するように設置される角度調節板３０と、前記角度調節板を密着させ、角度調節板を角度調節ねじ用ブラケットに加圧する角度調節ねじ３４と、から構成される。
【０００８】
しかし、従来のそのような天井掛け用ディスプレイ固定装置は、ディスプレイの位置を調節したり、視聴角度を手動で調節したりしなければならないという問題点があり、さらに、ディスプレイが常時室内に露出されているという問題点があった。
【発明の概要】
【発明が解決しようとする課題】
【０００９】
本発明は、前述のような問題点を解決するためのものであり、ディスプレイを視聴しないときには、天井上にあって、視聴を行うときには、自動的に天井下に降りてきて、視聴することができるようにし、自動的にディスプレイの視聴角度を調節することができる天井型ディスプレイ位置調節装置を提供するところにその目的がある。
【課題を解決するための手段】
【００１０】
前記目的を達成するために、本発明の天井型ディスプレイ位置調節装置は、下部が開放された中空状に形成され、天井上に配置される本体と、前記本体を固定する固定ブラケットと、前記本体の内部に装着され、前記天井下部方向にスライディングされるスライディング部材と、前記スライディング部材を、前記本体の下部にスライディング移動させる昇降手段と、前記スライディング部材の下部に左右両側に結合される支持台と、後方は、前記支持台間にヒンジ軸によって回転自在に結合されれば、前方には、ディスプレイが装着されるメインリンクと、前記メインリンクを前記ヒンジ軸を中心に回転させ、前記ディスプレイの角度を調節する角度調節手段と、を含むが、前記昇降手段は、前記本体から、前記スライディング部材を上下方向にスライディング移動させ、前記ディスプレイを、前記天井を基準に、上部または下部に移動させ、前記角度調節手段は、前記昇降手段により、前記天井の下部に移動された前記メインリンクを回転させ、前記ディスプレイの視聴角度を調節することを特徴とする。
【００１１】
また、前記メインリンクの後方には、前記ヒンジ軸を基準に回転されるように、前記角度調節手段がヒンジ結合される結合突起が突設され、前記角度調節手段は、一側は、前記結合突起にヒンジ結合され、他側は、前記スライディング部材の下部にヒンジ結合され、長さ変化により、前記メインリンクの後方を、前記ヒンジ軸を中心に回転させ、前記メインリンクの前方に装着された前記ディスプレイの視聴角度を調節する電動シリンダからなることを特徴とする。
【００１２】
また、前記メインリンクの前端が突出され、回転自在に切開部が形成され、前記支持台及び前記角度調節手段を覆い包むように、前記スライディング部材の下部に装着されるカバー部材をさらに含むことを特徴とする。
【００１３】
また、前記昇降手段は、前記本体内部に、上端が回転自在に結合されるリードスクリューと、前記スライディング部材の上端に結合され、前記リードスクリューの回転により、上下方向に昇降運動する昇降ユニットと、前記リードスクリューを回転させるメインモータと、を含むが、前記メインモータが回転すれば、前記リードスクリューが回転しながら、前記昇降ユニットが、前記リードスクリューに従って昇降運動しながら、前記スライディング部材を上下方向にスライディングさせ、前記ディスプレイを、前記天井を基準に、上部または下部に移動させることを特徴とする。
【００１４】
また、前記リードスクリューが挿入されるように、中空状に形成され、一側は、前記昇降ユニットに装着され、他側は、前記スライディング部材の下部に装着され、前記昇降ユニットと共に昇降運動しながら、前記昇降ユニットの下部に突出された前記リードスクリューを覆い包む保護管をさらに含むことを特徴とする。
【００１５】
また、前記本体内側には、上下方向に、多数個のスライディング溝が形成され、前記スライディング部材には、前記スライディング溝に沿い、多数個の結合孔が形成され、それぞれの前記結合孔に挿入結合され、前記スライディング溝に沿ってスライディングされるスライディング突起をさらに含むが、前記スライディング突起は、前記スライディング部材から突出され、前記スライディング溝に沿ってスライディングされ、外周縁には、外面から内側に傾いた傾斜面が形成されたスライディング部と、前記結合孔に結合されるように、前記スライディング部から突設され、端には、前記結合孔に挿入され、前記結合孔の外周縁にかかる係止爪が形成された結合部と、からなることを特徴とする。
【発明の効果】
【００１６】
以上で説明したような本発明の天井型ディスプレイ位置調節装置によれば、次のような効果がある。
【００１７】
第一に、前記昇降手段と前記角度調節手段とにより、ディスプレイを視聴しないときには、天井上にあって、視聴を行うときには、自動的に天井下に降りてきて、視聴することができるようにし、自動的にディスプレイの視聴角度を調節することができる効果がある。
【００１８】
第二に、前記電動シリンダからなる前記角度調節手段を構成することにより、前記電動シリンダの長さ変化により、前記結合突起の位置を、前記ヒンジ軸を中心に回転移動させ、前記ディスプレイの位置を手軽に調節することができ、前記電動シリンダの特性により、前記ディスプレイの荷重による、視聴角度の変化を防止する効果がある。
【００１９】
第三に、前記カバー部材を構成することにより、内部に構成される前記角度調節手段、前記支持台及び前記メインリンクの後端を露出させず、美観を損なわないようにしながら、異物が入ることを最小化させる効果がある。
【００２０】
第四に、前記リードスクリュー、前記昇降ユニット及び前記メインモータで構成された昇降手段を構成することにより、容易であって簡単に設置が可能でありながら、前記ディスプレイを天井上または天井下に手軽に移動させることができる効果がある。
【００２１】
第五に、前記保護管が、前記昇降ユニットの下部に突出された前記リードスクリューを覆い包むことにより、前記リードスクリューに塗布された潤滑油が外部に落ちることを防止しながら、異物がたまることを防止する効果がある。
【００２２】
第六に、前記スライディング部と前記結合部とからなる前記スライディング突起を構成することにより、前記スライディング突起が多数個によってなっているために、前記スライディング部材がスライディングするとき、摩擦による抵抗を最小化させることができ、前記スライディング突起の前記スライディング部が摩擦によって摩耗されたとき、前記結合部によって手軽に交換を行うことができる効果がある。
【図面の簡単な説明】
【００２３】
【図１】従来の天井掛け用ディスプレイ固定装置の構成図である。
【図２】本発明の一実施形態による天井突出型ディスプレイ位置調節装置の一側斜視図である。
【図３】本発明の一実施形態による天井突出型ディスプレイ位置調節装置の昇降手段の構成及び作動を示した側断面図である。
【図４】本発明の一実施形態による天井突出型ディスプレイ位置調節装置の昇降手段により、ディスプレイが動く様子を示した例示図である。
【図５】本発明の一実施形態による天井突出型ディスプレイ位置調節装置において、本体からスライディングされたスライディング部材の他側斜視図である。
【図６】本発明の一実施形態による天井突出型ディスプレイ位置調節装置の角度調節手段を示した底面斜視図である。
【図７】本発明の一実施形態による天井突出型ディスプレイ位置調節装置の角度調節手段の構成及び作動を示した側断面図である。
【図８】本発明の一実施形態による天井突出型ディスプレイ位置調節装置の角度調節手段により、ディスプレイが動く様子を示した例示図である。
【図９】本発明の一実施形態による天井突出型ディスプレイ位置調節装置において、カバー部材の構成を示した斜視図である。
【図１０】本発明の一実施形態による天井突出型ディスプレイ位置調節装置において、スライディング突起を示した側断面図及び分解斜視図である。
【図１１】本発明の一実施形態による天井突出型ディスプレイ位置調節装置において、スライディング突起を示した平断面図である。
【発明を実施するための形態】
【００２４】
本発明の一実施形態による天井型ディスプレイ位置調節装置は、ディスプレイを視聴しないときには、天井上にあって、視聴を行うときには、自動的に天井下に降りてきて、視聴することができるようにし、自動的にディスプレイの視聴角度を調節することができる。
【００２５】
図２ないし図１１に図示されているように、本発明の一実施形態による突出型ディスプレイＴ位置調節装置は、本体１００、固定ブラケット２００、スライディング部材３００、昇降手段４００、支持台５００、メインリンク６００、角度調節手段７００、カバー部材８００及びスライディング部材９００を含む。
【００２６】
前記本体１００は、下部が開放された中空状に形成され、図４に図示されているように、天井Ｐ上に配置される。
【００２７】
すなわち、前記本体１００は、室内空間の上、天井Ｐに配置される。
【００２８】
そのような前記本体１００は、図３に図示されているように、後述する構成要素が装着される。
【００２９】
前記固定ブラケット２００は、図４に図示されているように、前記本体１００を固定する。
【００３０】
すなわち、前記固定ブラケット２００は、前記本体１００を前記天井Ｐ上部に固定させ、動いたり落ちたりしないようにする。
【００３１】
前記スライディング部材３００は、前記本体１００の内部に装着される。
【００３２】
そのような前記スライディング部材３００は、図３に図示されているように、後述する前記昇降手段により、前記本体１００内部において、上下方向にスライディングされながら、ディスプレイＴを視聴しないときには、天井Ｐの上に上昇させ、視聴するときには、天井Ｐの下に移動させる。
【００３３】
前記スライディング部材３００が、前記本体１００において、スライディングされる詳細な説明は、後述する。
【００３４】
前記昇降手段４００は、前記スライディング部材３００を、前記本体１００においてスライディング移動させる。
【００３５】
すなわち、前記昇降手段４００は、前記スライディング部材３００を、前記本体１００内部または前記本体１００下部に移動させ、前記ディスプレイＴが天井Ｐの上または下に位置するようにする。
【００３６】
そのような前記昇降手段４００は、リードスクリュー４１０、昇降ユニット４２０、メインモータ４３０及び保護管４４０を含む。
【００３７】
前記リードスクリュー４１０は、前記本体１００内部に、上端が回転自在に結合される。
【００３８】
すなわち、前記リードスクリュー４１０は、図３に図示されているように、前記本体１００の内部に上下方向に配置され、前記本体１００内部に挿入されてスライディングされる前記スライディング部材３００の内部に配置されるように、上端が前記本体１００の上端に回転自在に結合される。
【００３９】
前記昇降ユニット４２０は、前記スライディング部材３００の上端に結合されながら、前記リードスクリュー４１０の回転により、図３に図示されているように、上下方向に昇降運動する。
【００４０】
さらに詳細には、前記昇降ユニット４２０は、前記リードスクリュー４１０とは螺合されながら、前記スライディング部材３００の上端に結合され、前記リードスクリュー４１０に沿って上下方向に昇降運動を行うことになる。
【００４１】
そのような前記昇降ユニット４２０は、前記リードスクリュー４１０の回転により、図３（ａ）に図示されているように、前記スライディング部材３００を上昇させ、図４（ａ）に図示されているように、前記ディスプレイＴが天井Ｐの上に配置されるようにするか、あるいは図３（ｂ）に図示されているように、前記スライディング部材３００を下降させ、図４（ｂ）に図示されているように、前記ディスプレイＴが天井Ｐの下に配置されるようにする。
【００４２】
前記メインモータ４３０は、前記リードスクリュー４１０を回転させる。
【００４３】
すなわち、前記メインモータ４３０は、図３に図示されているように、前記本体１００の上部に回転自在に結合された前記リードスクリュー４１０の上端に結合され、前記リードスクリュー４１０を回転させ、前記昇降手段４００が上下方向に昇降運動を行うようにする。
【００４４】
そのような前記昇降手段４００は、前記メインモータ４３０の回転により、前記リードスクリュー４１０が回転しながら、前記昇降ユニット４２０が、前記リードスクリュー４１０に沿って昇降運動することになり、それにより、前記スライディング部材３００が上下方向にスライディング移動しながら、前記ディスプレイＴを、前記天井Ｐを基準に、上部または下部に移動させる。
【００４５】
そのように、前記リードスクリュー４１０、前記昇降ユニット４２０及び前記メインモータ４３０で構成された昇降手段４００を構成することにより、容易であって簡単に設置が可能でありつつ、前記ディスプレイＴを天井Ｐの上または下に手軽に移動させることができる。
【００４６】
本実施形態においては、前記昇降手段４００を、前記リードスクリュー４１０、前記昇降ユニット４２０及び前記メインモータ４３０で構成したが、本実施形態とは異なり、前記スライディング部材３００をスライディング移動させることができるものであるならば、他の構成によってなってもよい。
【００４７】
一方、前記保護管４４０は、図３に図示されているように、前記リードスクリュー４１０が挿入されるように、中空状に形成され、一側は、前記昇降ユニット４２０に装着され、他側は、前記スライディング部材３００の下部に装着される。
【００４８】
そのような前記保護管４４０は、前記スライディング部材３００及び前記昇降ユニット４２０と共に昇降運動しながら、前記昇降ユニット４２０の下部に突出された前記リードスクリュー４１０を覆い包む。
【００４９】
そのように、前記保護管４４０が、前記昇降ユニット４２０の下部に突出された前記リードスクリュー４１０を覆い包むことにより、前記リードスクリュー４１０に塗布された潤滑油が外部に落ちることを防止しながら、異物がたまることを防止する。
【００５０】
前記支持台５００は、図３、図６及び図７に図示されているように、前記スライディング部材３００の下部に左右両側に結合される。
【００５１】
そのような前記支持台５００は、図３に図示されているように、後述する前記角度調節手段７００と前記メインリンク６００とが結合され、前記メインリンク６００を回転させ、前記メインリンク６００に結合される前記ディスプレイＴの視聴角度を調節することができるように支持する。
【００５２】
前記メインリンク６００は、後方は、前記支持台５００間に、ヒンジ軸６０１によって回転自在に結合され、前方には、前記ディスプレイＴが装着される。
【００５３】
すなわち、前記メインリンク６００は、図６及び図７に図示されているように、後方が前記ヒンジ軸６０１により、前記支持台５００間に回転自在に、前記ヒンジ軸６０１によって結合され、前方が前記ヒンジ軸６０１を中心に上下方向に回転しながら、前方に装着された前記ディスプレイＴの視聴角度を調節することができるようにする。
【００５４】
そのような前記メインリンク６００の後方には、前記ヒンジ軸６０１を基準に回転されるように、後述する前記角度調節手段７００がヒンジ結合される結合突起６０２が突設される。
【００５５】
すなわち、前記結合突起６０２は、前記角度調節手段７００により、前記メインリンク６００が、前記ヒンジ軸６０１を中心に回転自在に、前記メインリンク６００の後方で突設される。
【００５６】
前記角度調節手段７００は、前記メインリンク６００を、前記ヒンジ軸６０１を中心に回転させ、前記メインリンク６００の前方に装着された前記ディスプレイＴの角度を調節する。
【００５７】
すなわち、前記角度調節手段７００は、図８（ｂ）に図示されているように、前記昇降手段４００により、前記天井Ｐの下部に移動された前記メインリンク６００を回転させ、前記ディスプレイＴの視聴角度を調節する。
【００５８】
そのような前記角度調節手段７００は、電動シリンダ７０１からなる。
【００５９】
そのような前記電動シリンダ７０１は、図７に図示されているように、一側が、前記結合突起６０２にヒンジ結合され、他側が、前記スライディング部材３００の下部にヒンジ結合される。
【００６０】
そのように結合された前記電動シリンダ７０１の長さ変化により、前記メインリンク６００の後方を、前記ヒンジ軸６０１を中心に回転させ、前記メインリンク６００の前方に装着された前記ディスプレイＴの角度を調節する。
【００６１】
さらに詳細には、前記電動シリンダ７０１の電動モータ７０２が回転し、長さが長くなれば、図７（ａ）に図示されているように、前記ディスプレイＴを直交に位置させていて、前記電動モータ７０２が回転して長さが短くなれば、図７（ｂ）に図示されているように、ヒンジ結合された前記結合突起６０２の位置を移動させ、前記メールリンク６００を、前記ヒンジ軸６０１を中心に回転させ、前記ディスプレイＴの位置を調節する。
【００６２】
そのように、前記電動シリンダ７０１からなる前記角度調節手段７００を構成することにより、前記電動シリンダ７０１の長さ変化により、前記結合突起６０２の位置を、前記ヒンジ軸６０１を中心に回転移動させ、前記ディスプレイＴの位置を手軽に調節することができ、前記電動シリンダ７０１の特性により、前記ディスプレイＴの荷重による、視聴角度の変化を防止する。
【００６３】
本実施形態においては、前記電動シリンダ７０１の長さが短くなりながら、前記ディスプレイＴの視聴角度が変化するように構成したが、それとは反対に、前記結合突起６０２の位置を変化させ、前記電動シリンダ７０１の長さが長くなりながら、前記ディスプレイＴの視聴角度を変化させることもできる。
【００６４】
前記カバー部材８００は、図２、図５、図６及び図９に図示されているように、前記支持台５００及び前記角度調節手段７００を覆い包むように、前記スライディング部材３００の下部に装着される。
【００６５】
そのような前記カバー部材８００には、前記メインリンク６００の前端が突出され、回転自在に、すなわち、前記メインリンク６００の前方が上下方向に動くことができるように、切開部８０１が形成される。
【００６６】
そのように、前記カバー部材８００を構成することにより、内部に構成される前記角度調節手段７００、前記支持台５００及び前記メインリンク６００の後端を露出させず、美観を損なわないようにしながら、異物が入ることを最小化させる。
【００６７】
一方、図１０（ａ）及び図１１に図示されているように、前記本体１００内側には、上下方向に、多数個のスライディング溝１０１が形成され、前記スライディング部材３００には、前記スライディング溝１０１に沿い、多数個の結合孔３０１が形成される。
【００６８】
そして、前記スライディング突起９００は、それぞれの前記結合孔３０１に挿入結合され、前記スライディング溝１０１に沿ってスライディングされる。
【００６９】
すなわち、前記スライディング突起９００は、前述の前記本体１００から、前記スライディング部材３００がスライディングが良好になされるように、前記本体１００に形成された前記スライディング溝１０１に沿い、多数個が前記結合孔３０１に結合されてスライディングされる。
【００７０】
そのような前記スライディング突起９００は、図１０及び図１１に図示されているように、スライディング部９１０と結合部９２０とからなる。
【００７１】
前記スライディング部９１０は、図１０（ａ）及び図１１に図示されているように、前記スライディング部材３００から突出され、前記スライディング溝１０１に沿ってスライディングされる。
【００７２】
そのような前記スライディング部９１０の外周縁には、図１０及び図１１に図示されているように、外面から内側に傾いた傾斜面９１１が形成される。
【００７３】
そのような前記傾斜面９１１は、多数個によってなる前記スライディング突起９００が、図２に図示されているように、前記スライディング部材３００が、前記本体１００からスライディングされて降りていて上昇するとき、前記スライディング部９１０が前記スライディング溝１０１にかからないように挿入されて、スライディングがなされるようにする。
【００７４】
そして、前記結合部９２０は、図１０及び図１１に図示されているように、前記結合孔３０１に結合されるように、前記スライディング部９１０から突設される。
【００７５】
そのような前記結合部９２０の端には、図１０（ｂ）及び図１１に図示されているように、前記結合孔３０１に挿入され、前記結合孔３０１の内側外周縁にかかる係止爪９２１が形成される。
【００７６】
そのような前記係止爪９２１は、前記結合孔３０１に結合された前記スライディング突起９００が任意に抜けないように結合させる。
【００７７】
そのように、前記スライディング部９１０と前記結合部９２０とからなる前記スライディング突起９００を構成することにより、前記スライディング突起９００が多数個によってなっているために、前記スライディング部材９００がスライディングするとき、摩擦による抵抗を最小化させることができ、前記スライディング突起９００の前記スライディング部９１０が摩擦によって摩耗されたとき、前記結合部９２０によって手軽に交換を行うことができる。
【００７８】
そのような構成によってなる本発明の一実施形態による天井突出型ディスプレイ位置調節装置の作動過程について説明する。
【００７９】
まず、図４（ａ）に図示されているように、天井Ｐの上にディスプレイＴが位置するように、前記本体１００に、前記スライディング部材３００がスライディングされて上がった状態に装着される。
【００８０】
その後、ディスプレイＴを視聴するときには、図３に図示されているように、前記メインモータ４３０が回転すれば、前記昇降ユニット４２０が、前記リードスクリュー４１０に沿って降りながら、前記スライディング部材を下降させ、前記スライディング部材の下部に配置されるディスプレイＴが、図４（ｂ）に図示されているように、天井Ｐの下に降りてきて、視野に入ることになる。
【００８１】
そのように、前記ディスプレイＴが天井Ｐ下に降りてくれば、図７に図示されているように、前記角度調節手段７００により、前記メインリンク６００を回転させ、図８（ｂ）に図示されているように、前記ディスプレイＴの角度を調節し、ディスプレイＴ視聴を容易にする。
【００８２】
一方、反対に視聴が終われば、前述の内容と反対になされながら、前記ディスプレイＴは、前記天井Ｐの上に入り、室内空間から見えなくなる。
【００８３】
そのように、前記昇降手段４００と前記角度調節手段７００とにより、ディスプレイＴを視聴しないときには、天井Ｐの上にあり、視聴を行うときには、自動的に天井Ｐ下に降りてきて、視聴することができるようにし、自動的にディスプレイＴの視聴角度を調節することができるようになる。
【００８４】
本発明の天井突出型ディスプレイ位置調節装置は、前述の実施形態に局限されず、本発明の技術思想が許容される範囲内において、多様に変形して実施することができる。
【産業上の利用可能性】
【００８５】
本発明の天井型ディスプレイ位置調節装置は、ディスプレイを視聴しない場合には、天井上に位置させ、ディスプレイを視聴するときには、天井下に移動させ、視聴角度まで自動的に調節されるようにする。
【図１】
0006834011.tif 000002
【図２】
0006834011.tif 000003
【図３】
0006834011.tif 000004
【図４】
0006834011.tif 000005
【図５】
0006834011.tif 000006
【図６】
0006834011.tif 000007
【図７】
0006834011.tif 000008
【図８】
0006834011.tif 000009
【図９】
0006834011.tif 000010
【図１０】
0006834011.tif 000011
【図１１】
0006834011.tif 000012